(57)【要約】【課題】写真立てとして再利用した際の見栄えを向上することができる包装用パッケージを提供する。【解決手段】上方開口を有するように底壁１２ａと周壁１２ｂとから構成された箱ベース１２と、上方開口を閉成するように箱ベース１２に重ね合わされた蓋体１３と、上方開口の外周部付近を除いて上方開口を開放する窓部１４ａを備えたフレーム１４と、を備え、箱ベース１２の底壁周縁部とフレーム１４の周壁１４ｃとを重ね合わせた状態で接合するように少なくとも一方に設けられた接合部１８と、箱ベース１２の周壁１２ｂを底壁１２ａから切り取ったうえで少なくともその一部を底壁１２ａに接合させて脚部を構成するための脚部接合部１７と、を備えていることを特徴とする。【選択図】      図１
2010189049.tif 000002
【特許請求の範囲】
【請求項１】
上方開口を有するように底壁と周壁とから構成された箱ベースと、前記上方開口を閉成するように前記箱ベースに重ね合わされた蓋体と、前記上方開口の外周部付近を除いて前記上方開口を開放する窓部を備えたフレームと、を備え、
前記箱ベースの底壁周縁部と前記フレームの周壁とを重ね合わせた状態で接合するように少なくとも一方に設けられた接合部と、前記箱ベースの前記周壁を前記底壁から切り取ったうえで少なくともその一部を前記底壁に接合させて脚部を構成するための脚部接合部と、を備えていることを特徴とする包装用パッケージ。
【請求項２】
上方開口を有するように底壁と周壁とから構成された箱ベースと、前記上方開口を閉成するように前記箱ベースに重ね合わされた蓋体と、前記上方開口の外周部付近を除いて前記上方開口を開放する窓部を備えたフレームと、内容商品を内部に折り畳み収納する際のシート状の折畳用型枠と、を備え、
前記折畳用型枠の周縁部と前記フレームの周壁とを重ね合わせた状態で接合するように少なくとも一方に設けられた接合部と、前記箱ベースの前記底壁又は前記周壁に切り取り可能に設けられた脚部と、該脚部を前記折畳用型枠に接合するための脚部接合部と、を備えていることを特徴とする包装用パッケージ。
【請求項３】
前記底壁又は前記折畳用型枠に写真露出用窓が形成されていることを特徴とする請求項１又は請求項２に記載の包装用パッケージ。
【発明の詳細な説明】
【技術分野】
【０００１】
本発明は、上方開口を有するように底壁と周壁とから構成された箱ベースと、該箱ベースの上方開口を閉成するようにインロー方式等で重ね合わされた蓋体と、を備えた包装用パッケージに関する。
【背景技術】
【０００２】
従来から、贈答用のハンカチやスカーフ等にあっては、内容商品としてのハンカチやスカーフ等を高級化して見せることを目的等として、上方開口を有するように底壁と周壁とから構成された箱ベースと、この箱ベースの上方開口を閉成するようにインロー方式等で重ね合わされる蓋体と、を少なくとも備えた包装用パッケージに収納されることがある。
【０００３】
この際、包装用パッケージ内には、内容展示時等での内容商品の見栄えをより一層向上すると共に、購入者等が手にとって見たり搬送する際に内容商品が動き難くするために、天壁に窓部を形成したフレームを設ける場合がある。
【０００４】
さらに、このフレームは、その窓部の開口縁部を紋様状に形成したり、表面に図柄等の印刷又は浮き出し加工等を施したものがあるばかりでなく、フレームの裏面側（内容商品側）から窓部を閉成する透明フィルムを貼り付ける等によって、より高級感を引き出す機能を備えている。
【０００５】
また、包装用パッケージ内に収納する内容商品が、比較的薄手のハンカチ等であった場合、購入者等が手にとって見たり搬送する際に、折り畳み収納されたハンカチ等が包装用パッケージ内で片寄って皺が発生してしまうことを抑制するため、保形用の中敷を設ける場合もある。
【０００６】
尚、このような包装用パッケージは、内容商品を取り出した使用後においては、直ちに廃棄されるのが通例である。
【０００７】
しかしながら、このような包装用パッケージは、使用する紙の材質（例えば、厚手の上質紙等）や製造工程（例えば、フレーム加工等）のうえで、手間をかけたものが多く、その投資額（パッケージ単価）は決して安いものではない。
【０００８】
従って、内容商品を取り出した使用後の包装用パッケージをそのまま廃棄してしまうのはあまりにも資源の無駄使いであるばかりでなく、焼却ごみとしての処理量も増して不経済であるという問題が生じていた。
【０００９】
しかも、このような包装用パッケージは、破り難い厚手の上質紙等を用いているため、箱としての保形性が高いため、家庭用のゴミ袋内等を占有して他のゴミを捨てきれずに新たなゴミ袋が必要になったり、ゴミ袋を内側から破いてしまうなど、ゴミ袋を余分に必要とする要因となってしまうという問題も生じていた。
【００１０】
そこで、インロー方式で重ね合わされる薄型箱状の包装用パッケージにおいて、蓋体の天壁に窓部を形成すると共に、ベース箱の底壁に切り起し状に形成されたスタンドを設け、内容商品取り出し後に写真立てとして再利用することができる包装用パッケージが提案されている（特許文献１参照）。
【先行技術文献】
【特許文献】
【００１１】
【特許文献１】登録実用新案第３０６１０６２号公報
【発明の概要】
【発明が解決しようとする課題】
【００１２】
しかしながら、この特許文献１に開示の包装用パッケージにあっては、薄型とはいえ、内容商品の大きさや厚さにある程度対応するため、それなりの厚さ（例えば、１ｃｍ以上）を備えているのが一般的であることから、厚紙程度の薄さの写真をこのまま収納したのでは、窓部側から写真を見た場合に、中身の厚さと外身の厚さとの差による傾き（隙）が見えてしまい、見栄えを損なってしまうという問題が生じていた。
【００１３】
また、スタンドはベース箱の底壁に切り起し状に形成されていることから、写真立てとしての設置方向が縦向き又は横向きに限定されてしまうばかりでなく、写真裏面側の一部が外部にさらされてしまうため、埃等の汚れの付着や部分的な劣化（色褪せ等）が発生し易いといった問題が生じていた。
【００１４】
そこで、本発明は、上記事情を考慮し、写真立てとして再利用した際の見栄えを向上することができる包装用パッケージを提供することを目的とする。
【００１５】
また、本発明は、写真立てとして再利用した際の向きを選択し得て、汎用性を向上することができ、しかも、写真裏面側の一部が外部にさらされてしまうため、埃等の汚れの付着や部分的な劣化（色褪せ等）を発生し難くすることができる包装用パッケージを提供することを目的とする。
【課題を解決するための手段】
【００１６】
本発明の包装用パッケージは、上方開口を有するように底壁と周壁とから構成された箱ベースと、前記上方開口を閉成するように前記箱ベースに重ね合わされた蓋体と、前記上方開口の外周部付近を除いて前記上方開口を開放する窓部を備えたフレームと、を備え、前記箱ベースの底壁周縁部と前記フレームの周壁とを重ね合わせた状態で接合するように少なくとも一方に設けられた接合部と、前記箱ベースの前記周壁を前記底壁から切り取ったうえで少なくともその一部を前記底壁に接合させて脚部を構成するための脚部接合部と、を備えていることを特徴とする。
【００１７】
また、本発明の包装用パッケージは、上方開口を有するように底壁と周壁とから構成された箱ベースと、前記上方開口を閉成するように前記箱ベースに重ね合わされた蓋体と、前記上方開口の外周部付近を除いて前記上方開口を開放する窓部を備えたフレームと、内容商品を内部に折り畳み収納する際のシート状の折畳用型枠と、を備え、前記折畳用型枠の周縁部と前記フレームの周壁とを重ね合わせた状態で接合するように少なくとも一方に設けられた接合部と、前記箱ベースの前記底壁又は前記周壁に切り取り可能に設けられた脚部と、該脚部を前記折畳用型枠に接合するための脚部接合部と、を備えていることを特徴とする。
【００１８】
この際、前記底壁又は前記折畳用型枠に写真露出用窓を形成しても良い。
【発明の効果】
【００１９】
本発明の包装用パッケージは、写真立てとして再利用した際の見栄えを向上することができる。
【図面の簡単な説明】
【００２０】
【図１】本発明の一実施形態に係る実施例１の包装用パッケージの分解斜視図である。
【図２】本発明の一実施形態に係る実施例１の包装用パッケージのさらなる分解斜視図である。
【図３】本発明の一実施形態に係る実施例１の包装用パッケージを写真立てとして利用している状態の側面図である。
【図４】本発明の一実施形態に係る実施例２の包装用パッケージの分解斜視図である。
【図５】本発明の一実施形態に係る実施例２の包装用パッケージに用いられるベース箱の平面図である。
【図６】（Ａ）は本発明の一実施形態に係る実施例２の包装用パッケージを写真立てとして利用している状態の側面図、（Ｂ）は本発明の一実施形態に係る実施例２の包装用パッケージの要部の拡大断面図である。
【図７】本発明の一実施形態に係る変形例の包装用パッケージの要部の分解斜視図である。
【図８】本発明の一実施形態に係る変形例の包装用パッケージの要部の背面図である。
【図９】本発明の一実施形態に係る実施例３の包装用パッケージの分解斜視図である。
【図１０】本発明の一実施形態に係る実施例３の包装用パッケージを写真立てとして利用している状態の側面図である。
【発明を実施するための形態】
【００２１】
次に、本発明の一実施形態に係る包装用パッケージについて、図面を参照して説明する。
【００２２】
（実施例１）
図１乃至図３は本発明の一実施形態に係る実施例１の包装用パッケージを示し、図１は本発明の一実施形態に係る実施例１の包装用パッケージの分解斜視図、図２は本発明の一実施形態に係る実施例１の包装用パッケージのさらなる分解斜視図、図３本発明の一実施形態に係る実施例１の包装用パッケージを写真立てとして利用している状態の側面図である。
【００２３】
図１に示すように、本発明の一実施形態に係る実施例１の包装用パッケージ１１は、上方開口を有するように底壁１２ａと周壁１２ｂとから構成された箱ベース１２と、箱ベース１２の上方開口を閉成するように箱ベース１２に重ね合わされる蓋体１３と、上方開口の外周部付近を除いて上方開口を開放する窓部１４ａを備えたフレーム１４と、フレーム１４の裏面側（内容商品側）から窓部１４ａを閉成する透明フィルム１５と、を備えている。
【００２４】
箱ベース１２は、その底壁１２ａが略長方形とされると共にその全周縁部から周壁１２ｂが立ち上げられて上方開口が形成されている。尚、箱ベース１２の材質・大きさ・色等は公知のもの等任意であるが、例えば、写真サイズのＬサイズ又は２Ｌサイズよりもやや大きめとして底壁１２ａを構成すると共に、その材質には厚手の上質紙で包装用パッケージ１１の全体表面は光沢を備えた白色紙が使用されている。また、箱ベース１２の周壁１２ｂは、図２に示すように、底壁１２ａから分離（切り取り）可能とされ、その内壁面側には脚部取付用両面テープ１７が設けられている。尚、周壁１２ｂは、その任意の位置で他の部位とで分離可能とされ、脚部取付用両面テープ１７はその両端付近に設けられている。
【００２５】
蓋体１３は、上方開口を閉成する略長方形状の天壁１３ａと、天壁１３ａの全周縁部から立ち上げ（下向き）られた周壁１３ｂと、を備えている。この際、周壁１３ｂは、箱開閉操作容易性の観点から、蓋体１３を箱ベース１２と重ね合わせた際に周壁１２ｂの外側に位置するように構成されている。尚、蓋体１３の材質・大きさ・色等は公知のもの等任意であるが、天壁１３ａを底壁１２ａよりもやや大きめとすると共に、その材質には厚手の上質紙で包装用パッケージ１１の全体表面は光沢を備えた白色紙が使用されている。
【００２６】
フレーム１４は、箱ベース１２の外周部付近を閉成するようにインロー方式で内側から重ね合わされる天壁１４ｂと周壁１４ｃとを備え、窓部１４ａの開口縁部形状等によって窓部１４ａの形状や大きさが規定される。また、フレーム１４の周壁１４ｃの外側（内側でも良い）には、底壁１２ａの周辺部と重ね合わせた状態で接合するための接合部としての裏面取付用両面テープ１８が設けられている。
【００２７】
この際、この接合部としての裏面取付用両面テープ１８は、全ての周壁１４ｃに設けて底壁１２ａの周縁部と貼り合わせてしまうと、写真の交換等が困難となるため、その１辺には設けないこともできる。尚、周壁１４ｃを切り取り可能としても良い。
【００２８】
上記の構成において、フレーム１４の裏面側に所望の写真を入れた後、周壁１４ｃを内側に折り曲げた状態で、その周壁１４ｃと底壁１２ａの周縁部とが重ね合わさるように裏面取付用両面テープ１８を介して接合する。
【００２９】
その後、周壁１２ｂを底壁１２ａの裏面側に脚部取付用両面テープ１７を介して貼り付けることにより、図３に示すように、薄型でズレや厚さ方向に隙の無い、薄型の写真立てＳを構成することができる。
【００３０】
（実施例２）
図４乃至図６は本発明の一実施形態に係る実施例２の包装用パッケージを示し、図４は本発明の一実施形態に係る実施例２の包装用パッケージの分解斜視図、図５は本発明の一実施形態に係る実施例２の包装用パッケージに用いられるベース箱の平面図、図６（Ａ）は本発明の一実施形態に係る実施例２の包装用パッケージを写真立てとして利用している状態の側面図、図６（Ｂ）は本発明の一実施形態に係る実施例２の包装用パッケージの要部の拡大断面図である。
【００３１】
図４に示すように、本発明の一実施形態に係る実施例２の包装用パッケージ２１は、上方開口を有するように底壁２２ａと周壁２２ｂとから構成された箱ベース２２と、箱雄ベース２２の上方開口を閉成するように箱ベース２２に重ね合わされる蓋体１３と、上方開口の外周部付近を除いて上方開口を開放する窓部１４ａを備えたフレーム１４と、フレーム１４の裏面側（内容商品側）から窓部１４ａを閉成する透明フィルム１５と、パッケージ内部に内容商品を内部に折り畳み収納する際のシート状の折畳用型枠１６と、を備えている。尚、蓋体１３、フレーム１４、透明フィルム１５は、上記実施例１と同一であるため、同一の符号を付してその詳細な説明は省略する。
【００３２】
箱ベース２２は、その底壁２２ａが略長方形とされると共にその全周縁部から周壁２２ｂが立ち上げられて上方開口が形成されている。尚、箱ベース２２の材質・大きさ・色等は公知のもの等任意であるが、例えば、写真サイズのＬサイズ又は２Ｌサイズよりもやや大きめとして底壁２２ａを構成すると共に、その材質には厚手の上質紙で包装用パッケージ２１の全体表面は光沢を備えた白色紙が使用されている。また、箱ベース２２の底壁２２ａには、図５に示すように、その中央付近で底壁２２ａから切り取り可能とされ、その内壁面側に脚部取付用両面テープ１７が設けられた脚部２２ｃが設けられている。尚、脚部２２ｃは、その外周と中央とに繰り抜き（切り取り）可能となるようにミシン目等で縁取り形成されている。
【００３３】
折畳用型枠１６は、本実施例では、底壁２２ａよりもやや小さい長方形とされ、その一面（表面・裏面を問わない）には脚部２２ｃの取り付け位置を、縦置き用と横置き用で区別可能な取付位置マーク１６ａ，１６ｂが印刷等によって設けられている。尚、折畳用型枠１６の材質（例えば、厚紙）は任意であり、その大きさは、内容商品の厚さや大きさに応じたものとされる。
【００３４】
上記の構成において、フレーム１４の裏面側に所望の写真を入れた後、周壁１４ｃを内側に折り曲げた状態で、その周壁１４ｃと折畳用型枠１６の周縁部とが重ね合わさるように裏面取付用両面テープ１８を介して接合する。
【００３５】
その後、脚部２２ｃを折畳用型枠１６の裏面側に脚部取付用両面テープ１７を介して貼り付けることにより、図６（Ａ）に示すように、薄型でズレや厚さ方向に隙の無い、薄型の写真立てＳを構成することができる。尚、図６（Ｂ）に示すように、写真Ｐは天壁１４ｂと周壁１４ｃとで挟持するように挿入するのが好ましい。
【００３６】
尚、上記各実施例のように、写真立てＳとして利用する脚部を、写真立てＳの背面を構成する底壁１２ａや折畳用型枠１６の切り起しとはせず、別体の貼り付けとしたことにより、写真立てＳの背面から写真Ｐが露出することが無く、写真Ｐに埃等の汚れが付着したり部分的な劣化（色褪せ等）が発生することを防止することができる。
【００３７】
（変形例１）
ところで、上記各実施例では、フレーム１４と底壁１２ａ又は折畳用型枠１６との接合に裏面取付用両面テープ１８を用いたが、例えば、図７に示すように、フレーム１４の各周壁１４ｃに形成したスリット１４ｄと、折畳用型枠１６の周辺部付近に形成した切り起し状の係合舌片１６ｃとし、図８に示すように、係合舌片１６ｃをスリット１４ｄに係合することでフレーム１４に折畳用型枠１６を係合保持させることができる。
【００３８】
この際、図８に示すように、スリット１４ｄと係合舌片１６ｃとを、縦置き用と横置き用の２種類を形成し、折畳用型枠１６を上方側からスリット１４ｄに係合するように構成すると共に、写真挿入用として下縁部を開放状態とするのが好ましい。
【００３９】
（実施例３）
図９乃至図１０は本発明の一実施形態に係る実施例３の包装用パッケージを示し、図９は本発明の一実施形態に係る実施例３の包装用パッケージの分解斜視図、図１０は本発明の一実施形態に係る実施例３の包装用パッケージを写真立てとして利用している状態の側面図である。
【００４０】
図９に示すように、本発明の一実施形態に係る実施例３の包装用パッケージ３１は、上方開口を有するように底壁３２ａと周壁３２ｂとから構成された箱ベース３２と、箱雄ベース３２の上方開口を閉成するように箱ベース３２に重ね合わされる蓋体３３と、パッケージ内部に内容商品を内部に折り畳み収納する際のシート状の折畳用型枠３６と、を備えている。尚、上記実施例１，２で説明したフレーム１４及び透明フィルム１５はあっても無くても良い。
【００４１】
箱ベース３２は、底壁３２ａが略長方形とされると共にその全周縁部から周壁３２ｂが形成されている。尚、箱ベース３２の材質・大きさ・色等は公知のもの等任意であるが、例えば、写真サイズのＬサイズ又は２Ｌサイズよりもやや大きめとして底壁３２ａを構成すると共に、その材質には厚手の上質紙で包装用パッケージ３１の全体表面は光沢を備えた白色紙が使用されている。また、箱ベース３２の周壁３２ｂの表面側（裏面側でも良い）には、底壁３２ａの周壁３２ｂと折畳用型枠３６の周縁部とを重ね合わせた状態で接合するための接合部としての裏面取付用両面テープ１８が設けられている。
【００４２】
蓋体３３は、上方開口を閉成する略長方形状の天壁３３ａと、天壁３３ａの全周縁部から立ち上げ（下向き）られた周壁３３ｂと、を備えている。この際、周壁３３ｂは、箱開閉操作容易性の観点から、蓋体３３を箱ベース３２と重ね合わせた際に周壁３２ｂの外側に位置するように構成されている。尚、蓋体３３の材質・大きさ・色等は公知のもの等任意であるが、天壁３３ａを底壁３２ａよりもやや大きめとすると共に、その材質には厚手の上質紙で包装用パッケージ３１の全体表面は光沢を備えた白色紙が使用されている。また、蓋体３３の周壁３３ｂは、天壁３３ａから分離（切り取り）可能とされ、その内壁面側には脚部取付用両面テープ１７が設けられている。尚、周壁３３ｂは、その任意の位置で他の部位とで分離可能とされ、脚部取付用両面テープ１７はその両端付近に設けられている。
【００４３】
折畳用型枠３６は、本実施例では、底壁３２ａよりもやや小さい長方形とされ、所定形状（例えば、円型・楕円型・星型・ハート型等）の一つ以上のデザイン窓３６ａが繰り抜き形成（又はミシン目形成）されている。尚、折畳用型枠３６の材質（例えば、厚紙）は任意であり、その大きさは、内容商品の厚さや大きさに応じたものとされる。
【００４４】
上記の構成において、折畳用型枠３６の裏面側に所望の写真を入れた後、周壁３２ｂを内側に折り曲げた状態で、その周壁３２ｂと折畳用型枠３６の周縁部とが重ね合わさるように裏面取付用両面テープ１８を介して接合する。
【００４５】
尚、上記実施例１，２で説明したフレーム１４及び透明フィルム１５を有する場合、透明フィルム１５を利用してデザイン窓３６ａを閉成しても良い。
【００４６】
その後、周壁３３ｂを底壁３２ａの裏面側に脚部取付用両面テープ１７を介して貼り付けることにより、図１０に示すように、薄型でズレや厚さ方向に隙の無い、薄型の写真立てＳを構成することができる。
【符号の説明】
【００４７】
１１…包装用パッケージ
１２…箱ベース
１２ａ…底壁
１２ｂ…周壁
１３…蓋体
１３ａ…天壁
１３ｂ…周壁
１４…フレーム
１４ａ…窓部
１４ｂ…天壁
１４ｃ…周壁
１５…透明フィルム
１６…折畳用型枠
１７…脚部取付用両面テープ（脚部接合部）
１８…裏面取付用両面テープ（接合部）
【図１】
2010189049.tif 000003
【図２】
2010189049.tif 000004
【図３】
2010189049.tif 000005
【図４】
2010189049.tif 000006
【図５】
2010189049.tif 000007
【図６】
2010189049.tif 000008
【図７】
2010189049.tif 000009
【図８】
2010189049.tif 000010
【図９】
2010189049.tif 000011
【図１０】
2010189049.tif 000012